(57)【要約】      （修正有）【課題】飲料水包装袋の給水口と給水管の先端に設けた取水抽出管との接続を簡単に、かつ短時間に確実に行うことが出来るとともに、飲料水包装袋内の飲料水を最後まで確実に飲料水を使い切ることが出来、更に飲料水包装袋の交換時や設置時、更に輸送時に水漏れを起こすことがなく、構造が簡単で安価に製造することが出来るウォーターサーバーに於ける飲料水包装袋と給水管との接続具を提供する。【解決手段】接続具１１は、飲料水包装袋４の給水口９に設けた螺旋状の係合部１０に着脱可能に螺嵌する円筒状の台座部材と、この台座部材の中央部内に、前記給水管８に接続され、かつ先端が飲料水包装袋４の給水口９に設けたバルブ９ａを突き破る尖鋭に形成した取水抽出管１９と、取水抽出管１９に配設されたＯリング２０及び取水抽出管１９を昇降させるバネ部材２１と、配管カバー２３を介して取水抽出管１９を移動操作する操作レバー２２とで構成されている。【選択図】図２
2015030519.tif 000002
【特許請求の範囲】
【請求項１】
ウォーターサーバー本体下部の収容部に収納された飲料水包装袋の給水口に、ウォーターサーバー本体の飲料水収容タンクに接続された給水管の一端を接続具を介して着脱可能に接続し、前記給水管の途中に設けた給水ポンプを介して飲料水包装袋内の飲料水を飲料水収容タンクに吸引供給し、この飲料水収容タンク内の飲料水を一定温度の冷水と温水に調温した後、ウォーターサーバー本体に設けた冷水抽出口及び温水抽出口から冷水と温水とをそれぞれ任意に抽出出来るようにしたウォーターサーバーに於ける飲料水包装袋と給水管との接続具において、
前記接続具は、飲料水包装袋の給水口に設けた係合部に着脱可能に螺嵌する円筒状の台座部材と、この台座部材の中央部内に、後端が前記給水管に接続され、かつ先端が飲料水包装袋の給水口に設けたバルブを突き破る尖鋭に形成した取水抽出管と、取水抽出管に配設されたＯリング及び取水抽出管を昇降させるバネ部材と、取水抽出管を移動操作する操作レバーとで構成し、前記飲料水包装袋の給水口に設けた係合部に接続具の円筒状の台座部材を水密的に螺合させた後、前記取水抽出管を操作レバーで移動操作して飲料水包装袋の給水口に設けたバルブを突き破り、飲料水包装袋内の飲料水を給水ポンプを介して飲料水収容タンクに吸引供給するように構成したことを特徴とするウォーターサーバーに於ける飲料水包装袋と給水管との接続具。
【請求項２】
前記接続具の取水抽出管及びこれに接続される給水管をステンレスパイプにより形成した請求項１に記載のウォーターサーバーに於ける飲料水包装袋と給水管との接続具。
【請求項３】
前記ウォーターサーバー本体下部の収容部に、収容部から飲料水包装袋をウォーターサーバー本体外部に出し入れ可能な移動テーブルを設け、ウォーターサーバーの外部にて飲料水包装袋の給水口に接続具の取水抽出管を着脱可能に接続出来るようにした請求項１または２に記載のウォーターサーバーに於ける飲料水包装袋と給水管との接続具。
【請求項４】
前記接続具の取水抽出管の先端部は、ウォーターサーバー本体外部で飲料水包装袋の給水口に接続可能となるようにジョイントを介して旋回可能に構成した請求項１，２または３に記載のウォーターサーバーに於ける飲料水包装袋と給水管との接続具。
【発明の詳細な説明】
【技術分野】
【０００１】
この発明は、ウォーターサーバーに於ける飲料水包装袋と給水管との接続具に係わり、更に詳しくは飲料水包装袋をウォーターサーバーの本体下部の収容部に設置し、この収容部に設置した飲料水包装袋の給水口と、ウォーターサーバー本体の飲料水収容タンクに接続された給水管の先端側とを着脱可能で、かつ簡便に接続可能することが出来る接続具に関するものである。
【背景技術】
【０００２】
従来、ウォーターサーバー（飲料水供給機）本体の飲料水収容タンクに飲料水を供給する方法として、ウォーターサーバー本体上に例えば、１０リットル〜３０リットル等の飲料水を収容したボトルを設置して飲料水の重力により飲料水収容タンクに飲料水を供給する方法や、ウォーターサーバー本体下部の収容部にビニール袋等で形成された飲料水包装袋（バックインボックスとも呼称されている）収納し、この飲料水包装袋に供水管を接続し、給水ボンプを介して飲料水包装袋内の飲料水を前記飲料水収容タンクに供給する方法が知られている（例えば、特許文献１、特許文献２参照）。
【０００３】
そして、飲料水収容タンクに供給された飲料水は、飲料水収容タンクに設けらた冷媒等を使用した冷却手段やヒータ等を使用した加熱手段を介して一定温度（例えば、５〜１０°Ｃ前後）の冷水と６０〜８５°Ｃ前後の温水に調温した後、ウォーターサーバー本体に設けた冷水抽出口及び温水抽出口から冷水と温水とを任意に抽出出来るようにしている。
【０００４】
特にウォーターサーバー本体下部の収容部に飲料水包装袋を設置して使用するタイプのウォーターサーバーは、ウォーターサーバー本体下部の収容部に開閉扉を開けて飲料水包装袋を設置し、そして飲料水包装袋の給水口にウォーターサーバー本体の給水管の先端に設けた取水抽出管を差し込んで接続し、給水管の途中に設けた給水ポンプにより飲料水包装袋内の飲料水を吸引して飲料水収容タンクに順次供給するようにしている。
【０００５】
しかしながら、従来の飲料水包装袋を設置して使用するタイプのウォーターサーバー場合、狭い場所での飲料水包装袋の給水口と給水管の先端に設けた取水抽出管との接続に多くの手間と時間がかかり、また最後まで確実に飲料水を使い切ることが出来ずに飲料水包装袋内に僅かに残ってしまい、飲料水包装袋の交換時や設置時、輸送時に水漏れを起こすと言う問題があった。更に接続部分が複雑で、高価となる問題があった。
【先行技術文献】
【特許文献】
【０００６】
【特許文献１】特開２０１３−５６６９５号公報
【特許文献２】特開２００４−３５２３０１号公報
【発明の概要】
【発明が解決しようとする課題】
【０００７】
この発明はかかる従来の問題点に着目し、飲料水包装袋の給水口と給水管の先端に設けた取水抽出管との接続を簡単に、かつ短時間に確実に行うことが出来るとともに、飲料水包装袋内の飲料水を最後まで確実に飲料水を使い切ることが出来、更に飲料水包装袋の交換時や設置時、更に輸送時に水漏れを起こすことがなく、構造が簡単で安価に製造することが出来るウォーターサーバーに於ける飲料水包装袋と給水管との接続具を提供することを目的とするものである。
【課題を解決するための手段】
【０００８】
この発明は上記目的を達成するため、この発明の接続具は、飲料水包装袋の給水口に設けた係合部に着脱可能に螺嵌する円筒状の台座部材と、この台座部材の中央部内に、後端が前記給水管に接続され、かつ先端が飲料水包装袋の給水口に設けたバルブを突き破る尖鋭に形成した取水抽出管と、取水抽出管に配設されたＯリング及び取水抽出管を昇降させるバネ部材と、取水抽出管を移動操作する操作レバーとで構成し、前記飲料水包装袋の給水口に設けた係合部に接続具の円筒状の台座部材を水密的に螺合させた後、前記取水抽出管を操作レバーで移動操作して飲料水包装袋の給水口に設けたバルブを突き破り、飲料水包装袋内の飲料水を給水ポンプを介して飲料水収容タンクに吸引供給するように構成したことを要旨とするものである。
【０００９】
ここで、前記接続具の取水抽出管及びこれに接続される給水管をステンレスパイプにより形成し、また前記ウォーターサーバー本体下部の収容部に、収容部から飲料水包装袋をウォーターサーバー本体外部に出し入れ可能な移動テーブルを設け、ウォーターサーバーの外部にて飲料水包装袋の給水口に接続具の取水抽出管を着脱可能に接続出来るようにし、前記接続具の取水抽出管の先端部側は、ウォーターサーバー本体外部で飲料水包装袋の給水口に接続可能となるようにジョイントを介して旋回可能に構成するものである。
【００１０】
このように構成することで、特に飲料水包装袋を設置して使用するタイプのウォーターサーバー場合において、飲料水包装袋の給水口と給水管の先端に設けた取水抽出管との接続を簡単に、かつ短時間に確実に行うことが出来るとともに、飲料水包装袋内の飲料水を最後まで確実に飲料水を使い切ることが出来、更に飲料水包装袋の交換時や設置時、更に輸送時に水漏れを起こすことがな使用することが出来る。
【発明の効果】
【００１１】
この発明は、上記のようにこの発明の接続具は、飲料水包装袋の給水口に設けた係合部に着脱可能に螺嵌する円筒状の台座部材と、この台座部材の中央部内に、後端が前記給水管に接続され、かつ先端が飲料水包装袋の給水口に設けたバルブを突き破る尖鋭に形成した取水抽出管と、取水抽出管に配設されたＯリング及び取水抽出管を昇降させるバネ部材と、取水抽出管を移動操作する操作レバーとで構成し、前記飲料水包装袋の給水口に設けた係合部に接続具の円筒状の台座部材を水密的に螺合させた後、前記取水抽出管を操作レバーで移動操作して飲料水包装袋の給水口に設けたバルブを突き破り、飲料水包装袋内の飲料水を給水ポンプを介して飲料水収容タンクに吸引供給するように構成したので、以下のような優れた効果を奏するものである。
（ａ）．特に飲料水包装袋を設置して使用するタイプのウォーターサーバー場合において、飲料水包装袋の給水口と給水管の先端に設けた取水抽出管との接続を簡単に、かつ短時間に確実に行うことが出来る。
（ｂ）．飲料水包装袋内の飲料水を最後まで確実に飲料水を使い切ることが出来る。
（ｃ）．飲料水包装袋の交換時や設置時、更に輸送時に水漏れを起こすことがな使用する        ことが出来る。
【図面の簡単な説明】
【００１２】
【図１】この発明を実施したウォーターサーバー全体の概略構造図である。
【図２】飲料水包装袋の給水口に設けた係合部に係合した接続具の一部断面図である。
【図３】この発明を実施した接続具の一部切欠した分解斜視図である。
【図４】図３の接続具の分解斜視図である。
【図５】飲料水包装袋の給水口に設けた係合部に接続具を装着する前の正面図である。
【図６】ウォーターサーバー本体下部の収容部に飲料水包装袋を収容する前の接続具の正面図である。
【発明を実施するための形態】
【００１３】
以下、添付図面に基づき、この発明の実施形態を説明する。
【００１４】
図１はこの発明を実施したウォーターサーバー全体の概略構造図、図２は飲料水包装袋の給水口に設けた係合部に係合した接続具の一部断面図、図３はこの発明を実施した接続具の一部切欠した分解斜視図、図４は図３の接続具の分解斜視図、図５は飲料水包装袋の給水口に設けた係合部に接続具を装着する前の正面図、図６はウォーターサーバー本体下部の収容部に飲料水包装袋を収容する前の接続具の正面図である。
【００１５】
この発明のウォーターサーバー本体１は、図１に示すように、ウォーターサーバー外殻２の下部の収容部３に、飲料水Ｗを収容した飲料水包装袋４が出し入れ可能に収容され、この収容部３には、開閉扉５等を介して収容部３から飲料水包装袋４をウォーターサーバー本体１の外部で出し入れすることが出来る移動可能な移動テーブル６が設けである。
【００１６】
前記ウォーターサーバー外殻２の上部には、飲料水収容タンク７が配設され、この飲料水収容タンク７には、ステンレスパイプにより形成した給水管８の一端８ａが接続され、この給水管８の他端８ｂ側には、飲料水包装袋４の給水口９に設けた係合部１０に着脱可能に螺嵌させて取り付ける接続具１１が設けてある。なお、４ａは飲料水包装袋４を収納するためのダンボール等の収容箱を示している。
【００１７】
前記給水管９の途中には、周知の給水ポンプ１２を設置し、飲料水包装袋４内の飲料水Ｗを飲料水収容タンク７に順次吸引して供給するように構成し、また飲料水収容タンク７には、従来のウォーターサーバーと同様に飲料水収容タンク７内の飲料水Ｗを一定温度（例えば、５〜１０°Ｃ前後）の冷水に冷却する冷媒等を使用した冷却手段１３と、例えば、６０〜８５°Ｃ前後の一定温度温水に加温するヒータ等を使用した加熱手段１４とが接続パイプ１３ａ，１４ａを介して接続され、また飲料水収容タンク７には、仕切り板１５及び抽出管１６ａ，１６ｂを介して冷水抽出口１７ａ及び温水抽出口１７ｂが設けられている。
【００１８】
前記接続具１１は、図２及び図３に示すように、飲料水包装袋４の給水口９に設けた螺旋状の係合部１０に着脱可能に螺嵌する円筒状の台座部材１８と、この台座部材１８の中央部内に、前記給水管８に接続され、かつ先端が飲料水包装袋４の給水口９に設けたバルブ９ａを突き破る尖鋭に形成した取水抽出管１９と、取水抽出管１９に配設されたＯリング２０及び取水抽出管１９を昇降させるバネ部材２１と、配管カバー２３を介して取水抽出管１９を移動操作する操作レバー２２とで構成されている。
【００１９】
なお、配管カバー２３の外周には、軸方向に操作レバー２２のＬ字状のガイド溝２４が形成され、取水抽出管１９を軸方向に操作出来るように構成されている。
【００２０】
このように構成して前記飲料水包装袋４の給水口９に設けた係合部１０に接続具１１の円筒状の台座部材１８を水密的に螺合させた後、取水抽出管１９を操作レバー２２で操作して飲料水包装袋４の給水口９に設けたバルブ９ａを突き破り、飲料水包装袋４内の飲料水Ｗを給水ポンプ１２を介して飲料水収容タンク７に吸引供給するように構成してある。
【００２１】
前記接続具１１と給水ポンプ１２とを接続するエルボー状の複数本のパイプ部材２３，２３ｂ，２３ｃはジョイント２５を介して旋回可能に接続され、取水抽出管１９の先端部は、ウォーターサーバー本体１の外部で飲料水包装袋４の給水口９に接続可能となるように構成してある。
【００２２】
なお、給水管８，給水ポンプ１２，取水抽出管１９及びパイプ部材２３，２３ｂ，２３ｃやジョイント２５は、食品衛生上、ステンレスパイプにより形成することが望ましい。即ち、従来では樹脂製のパイプ等を使用するものが提案されていたが、腐食したり、カビが発生することがあり、定期的なメンテナンスを行う必要があったが、本発明では、構成部品をステンレス製の金属材料により形成することでこのような問題を解消することが出来るものであり、従来の樹脂製のパイプに較べて雑菌等の付着やカビの発生がなく衛生的で安全に使用することが出来る。
【００２３】
次に、ウォーターサーバー本体１の下部の収容部３に飲料水包装袋Ｗを収容し、かつ飲料水包装袋４の給水口９に設けた螺旋状の係合部１０に接続具１１の螺旋状の係合凹部１１ａを接続する場合について説明する。
【００２４】
先ず、ウォーターサーバー本体１の収容部３に飲料水包装袋４を設置した後、ウォーターサーバー本体１の外部にて飲料水包装袋４から給水口９を取り出した後、給水口９に設けた螺旋状の係合部１０に給水管８に接続させてある接続具１１の螺旋状の係合凹部１１ａを水平方向に挿入させてかみ合わせてＯリング２０を介して水密的に接続させる。
【００２５】
そして、接続具１１の操作レバー２２を把持して時計方向に回転させた状態で、配管カバー２３と取水抽出管１９との間隙に沿って、かつガイド溝２４に沿って軸方向にスライドさせ、取水抽出管１９の尖鋭な先端を飲料水包装袋４の給水口９に設けたバルブ９ａを突き当てて突き破り、取水抽出管１９の先端が飲料水包装袋４の給水口９に差し込まれた状態で配管カバー２３を回転させて、ガイド溝２４のＬ字状の係止溝２４ａに取水抽出管１９の突起部２４ｂを係止させて固定する。
【００２６】
飲料水包装袋４の給水口９に取水抽出管１９の先端が差し込まれて接続されると、取水抽出管１９及びパイプ部材２３，２３ｂ，２３ｃの給水管８内に飲料水包装袋４の飲料水Ｗが流入し、このような状態で給水ポンプ１２を駆動して飲料水包装袋４内の飲料水Ｗを給水ポンプ１２を介して飲料水収容タンク７に順次吸引して供給する。
【００２７】
飲料水収容タンク７に供給された飲料水Ｗは、上述したように、飲料水収容タンク７内の飲料水Ｗを冷却手段１３を介して一定温度（例えば、５〜１０°Ｃ前後）の冷水に冷却すると共に、加熱手段１４を介して６０〜８５°Ｃ前後の一定温度温水に加温する。
【００２８】
そして、抽出管１６ａ，１６ｂを介して冷水抽出口１７ａ及び温水抽出口１７ｂから必要に応じて冷水と温水を抽出させる。
【００２９】
次に、飲料水包装袋４の給水口９から接続具１１を取り外す場合について説明する。
先ず、飲料水包装袋４の飲料水Ｗが空になったことを確認した後、接続時と同様に接続具１１の操作レバー２２を把持して反時計方向に回転させて、Ｌ字状の係止溝２４ａから突起部２４ｂを外した状態で引き上げる。
【００３０】
そして接続具１１の配管カバー２３及び操作レバー２２を把持した状態で反時計方向に回転させると同時に、水平方向にスライドさせてかみ合わせてた状態の解除し取り外す。
【００３１】
なお、Ｏリング２０は取り外し時も完全にシールされるために水洩れの心配はない。
また、接続具１１は、ウォーターサーバーを使用しない時、または輸送中の場合は、冷水タンク台座に固定されることになる。
【００３２】
また、取水抽出管１９及びパイプ部材２３，２３ｂ，２３ｃは、ジョイント２５を介して水平及び上下方向に旋回可能であるため、任意の位置で飲料水包装袋４の給水口９に接続具１１を接続させることが出来る。
【００３３】
この発明は上記のように構成され、かつ飲料水包装袋４の給水口９から接続具１１を簡便に、かつ容易に接続出来るので、特に飲料水包装袋を設置して使用するタイプのウォーターサーバー場合において、飲料水包装袋の給水口と給水管の先端に設けた取水抽出管との接続を簡単に、かつ短時間に確実に行うことが出来る。
【００３４】
また、飲料水包装袋４内の飲料水Ｗを最後まで確実に飲料水を使い切ることが出来、更に飲料水包装袋４の交換時や設置時、更に輸送時に水漏れを起こすことがな使用することが出来る。
【符号の説明】
【００３５】
１  ウォーターサーバー本体
２  ウォーターサーバー外殻
３  収容部
４  飲料水包装袋
４ａ  収容箱
Ｗ  飲料水
５  開閉扉
６  移動テーブル
７  飲料水収容タンク
８  給水管
８ａ  給水管の一端
８ｂ  給水管の他端
９  給水口
９ａ  バルブ
１０  係合部
１１  接続具
１２  給水ポンプ
１３  冷却手段
１４  加熱手段
１５  仕切り板
１６ａ，１６ｂ  抽出管
１７ａ  冷水抽出口
１７ｂ  温水抽出口
１８  台座部材
１９  取水抽出管
２０  Ｏリング
２１  バネ部材
２２  操作レバー
２３  配管カバー
２３ａ，２３ｂ，２３ｃ  パイプ部材
２４  ガイド溝
２４ａ  係止溝
２４ｂ  突起部
２５  ジョイント
【図１】
2015030519.tif 000003
【図２】
2015030519.tif 000004
【図３】
2015030519.tif 000005
【図４】
2015030519.tif 000006
【図５】
2015030519.tif 000007
【図６】
2015030519.tif 000008